(57)【要約】【課題】床ノズルを特に絨毯床の吸引作業の操作性に関して改善する。【解決手段】本発明は、掃除機の床ノズル（１）に関するもので、進行方向（ｒ）に制限手段（５、５’）例えば滑り板により前後が仕切られた吸引室（２）を有し、吸引室（２）の内部は場合によっては回転できるブラシ（６）が配置されている。話題とする種類の床ノズルを特に絨毯床の吸引作業の場合の操作性に関して改善するため、制限手段（５’）は部分的範囲において垂直方向に移動ができるようにし、制限手段（５’）は吸引室（２）に発生する負圧および／または床ノズル（１）の前進（ｒ）および後進（ｒ’）移動に関連して自動的に上昇することができるようにすることを提案している。【選択図】図２
2007521897.tif 000002
【特許請求の範囲】
【請求項１】
進行方向（ｒ）に制限手段（５、５’）例えば滑り板により前後が仕切られた吸引室（２）を有し、吸引室（２）の内部は場合によっては回転できるブラシ（６）が配置されている掃除機の床ノズル（１）において、
制限手段（５’）は、部分的範囲において垂直方向に移動ができるようにし、制限手段（５’）は吸引室（２）に発生する負圧および／または床ノズルの前進（ｒ）および後進（ｒ’）移動に関連して自動的に上昇することができることを特徴とする床ノズル。
【請求項２】
特に、制限手段（５’）が下降方向に押付けられていることを特徴とする請求項１に記載する床ノズル。
【請求項３】
特に、床ノズル（１）内にワイパ状の探索体（１６）が配置され、吸引室（２）に吸引される基盤の一部区間特に絨毯（１７）の一部区間によって変位し、かつ
探索体（１６）の変位が制限手段（５’）の上昇を制御することを特徴とする請求項１または２の何れかに記載する床ノズル。
【請求項４】
特に、探索体（１６）の変位反応しきい値が調整できることを特徴とする請求項１ないし３の何れかに記載する床ノズル。
【請求項５】
特に、探索体（１６）が吸引室（２）を貫通して配置され、ワイパ状に変位することができるブラシ（６）を備えたことを特徴とする請求項１ないし４の何れかに記載する床ノズル。
【請求項６】
特に、吸引室（２）に作用する負圧が制限手段（５’）の上昇力に変換されることを特徴とする請求項１ないし５の何れかに記載する床ノズル。
【請求項７】
特に、負圧が作用する負圧ピストン（２１）が制限手段（５’）に作用する作用手段（１９）の作用部品（２２）に強固に固定されていることを特徴とする請求項１ないし６の何れかに記載する床ノズル。
【請求項８】
特に、床ノズルがワイパ状の探索体（２６）を備え、床ノズル前進（ｒ）および後進（ｒ’）移動に関連して傾くことを特徴とする請求項１ないし７の何れかに記載する床ノズル。
【請求項９】
特に、探索体（２６）が梃子状に形成され、かつ基盤の反対側の探索体（２６）の梃子の区間が（２７）が制限手段（５’）の移動を制御することを特徴とする請求項１ないし８の何れかに記載する床ノズル。
【請求項１０】
特に、作用手段（１９）は梃子連結棒（２０）または荷重伝達鋼索（２５）であることを特徴とする請求項１ないし９の何れかに記載する床ノズル。
【請求項１１】
特に、探索体（２６）の梃子区間（２７）に基づく荷重伝達鋼索（２５）の結合が、別の位置よりも制限手段（５’）の固定に近い位置あることを特徴とする請求項１ないし１０の何れかに記載する床ノズル。
【請求項１２】
特に、梃子状の探索体（２６）の回転軸（ｙ）は過度の変位の調整のため、ばね力に対して垂直に移動することができることを特徴とする請求項１ないし１１の何れかに記載する床ノズル。
【請求項１３】
特に、移動することができる制限手段（５’）は、追加的に作用手段（１９）に作用する押し金（１８）によって上昇させることができることを特徴とする請求項１ないし１２の何れかに記載する床ノズル。
【発明の詳細な説明】
【技術分野】
【０００１】
本発明は、掃除機の床ノズルに関するもので、進行方向に制限手段例えば滑り板により前後が仕切られた吸引室を有し、吸引室の内部は場合によっては回転できるブラシが配置されている。
【背景技術】
【０００２】
話題とする種類の床ノズルは既知である。例えば吸引室の前後に配置された滑り板の形状の制限手段は、とくに絨毯の床の作業に効果があり、この場合床ノズルは滑り板によって絨毯のけばに支えられ、密閉に近い吸引室の遮断を生ずる。この場合濃密なおよび／またはけばの高い絨毯床では吸引室に高い負圧を生じ、高い摩擦によって滑動力を上昇させる。この上昇した滑動力は掃除機の使用を困難にする。
【発明の開示】
【発明が解決しようとする課題】
【０００３】
上記に説明した技術の現状を考慮し、本発明の技術的課題は、話題とする種類の床ノズルを特に絨毯床の吸引作業の操作性に関して改善することである。
【課題を解決するための手段】
【０００４】
この課題は先ず本質的に請求項１の対象物によって解決され、制限手段は部分的範囲にわたって垂直方向に移動することができ、制限手段は吸引ダクトに発生する負圧および／または吸引ノズルの前進および後進移動に関連して自動的に上昇することができることに重点を置いている。本発明による構成によって吸引室の負圧を最大値に限定する可能性が生まれる。この値は塵埃の吸引すなわち清掃効果を更に確実にするよう高く選定され、他方では使用者にとって滑動力が耐え得る範囲となるよう低く選定される。選定された制限手段の調整によって追加的に流入する空気は、絨毯の上を密着して滑るのでこの位置で絨毯のけばに付着している汚れは良好に吸引することができる。さらに上昇可能または下降可能な制限手段は、ほぼ垂直に移動することができる滑り板の方式に形成し、更にこのような有効空気滑り板または粗い汚れ用または洗浄空気用滑り板の幅は床ノズルの全体の幅より小さく選定し、作業する絨毯床の移動することができる制限手段の両側は、床板または滑り板などの隣接する移動することができない制限手段によって低く保持されることが好ましい。これに関連して制限手段または滑り板の移動することができる幅は５０ないし２００ｍｍが考えられる。制限手段によって吸引室に流入する空気の量は調整することができ、滑り板または制限手段の下側の角が清掃する床を閉じる完全に閉鎖された状態から、希望する清掃負荷または幾何学的な実情により制約される希望する最大の開口量まで調整できる。滑り板または垂直に移動することができる制限手段の下側の角は気密唇状体または一種の滑り板で形成すると好ましい。ここで上昇した制限手段によって設定された開口部は、粗い物体の受け入れ用として形成することができる。隙間からの塵埃受け入れの最適化に対し、大きな開口部は制限手段によって閉鎖し、制限手段は剛毛の帯のセグメントまたは気密唇状体から形成する。これに関し更に制限手段を下降方向に押し付けることが好ましい。更に吸入ノズル内にワイパ状の探索体を配置し、吸引室に侵入する基盤の一部区間特に吸引された絨毯の一部区間によってワイパ状の探索体は変位し、探索体の変位が制限手段の上昇を制御することを提案する。特に濃密な絨毯を吸引した場合、吸引室の負圧は絨毯または吸引室を下側からほぼ気密にする絨毯の一部区間が強く吸引されるほど高くなり、絨毯のけばは吸引室内に深く進入する。これによってワイパ状の探索体は打撃を受けて変位し、これによって吸引室の負圧の調整のため制限手段の上昇が行なわれる。吸引室の負圧はこれによって改善され小さな滑動力に調整される。これに関し更に探索体の変位反応しきい値が調節できるようにすると好都合である。この構成により負圧しきい値は調整できるようになり、これを超えてはじめて制限手段の上昇が負圧の調整のために実施される。有利な方法で探索体を吸引室に配置され、ワイパ状の変位することができるブラシとする。ブラシはこの場合吸引室の外側で、ブラシの回転軸と平行に調整された旋回軸の周りを移動することができ、旋回軸は同時にブラシの回転軸例えば歯付きベルトによって駆動されるブラシの電気モータの軸でもよい。吸引作業中に絨毯の一部区間が吸引室に吸引されると、これによってブラシは上昇する。この場合探索体として同時に機能するブラシは、反応しきい値の超過によって吸引室の負圧の調整のために制限手段を上昇させる。吸引室に作用する負圧自体は制限手段の上昇力に置き換えられる。吸引室に作用する負圧は常に測定することができる。予め規定したしきい値の超過により、制限手段が開放される。基本的に実施態様とは無関係に、制限手段の垂直方向への移動は測定された負圧に比例するか、または探索体の変位経路に比例する。また負圧を負圧ピストンに作用させ、制限手段に作用する作用手段の作用部品に強固に結合することもできる。これによって吸引室に発生した負圧により、移動することのできる制限手段の垂直方向の位置に誘導する機械的な解決法が実現される。上述の説明による解法の代替または組み合わせとして、吸引ノズルにワイパ状の探索体を設け、吸引ノズルの前進手動および後進移動に応じて傾かせることもできる。一般に粗い物体の取り入れは吸入移動の前進で行なわれ、一方比較的高い負圧を前提とした隙間からの吸引は前進および後進で使用される。本発明により吸引ノズルに設けられたワイパ状の探索体は、前進時の開口部を粗い物体の取り入れのため自動的に開放すなわち垂直方向に移動することができる制限手段を上昇させ、一方後進時には自動的に垂直方向に移動することができる制限手段によって形成されるシャッタを閉鎖する。これに関連する探索体は梃子状に形成され、基盤すなわち吸引する床の反対側の探索体の梃子区間は制限手段の移動を制御する。代わりに前進移動および後進移動の区別を、場合によってはローラまたはその他の一緒に回転する構成部品の回転方向の把握によって行なうこともできる。上記の制限手段に作用する作用手段は梃子の連結棒または荷重伝達鋼索でもよく、この場合探索体梃子区間に基づく荷重伝達鋼索の結合が、別の位置よりも制限手段の固定に近い位置とすることを提案する。基盤と共同作用する床ノズルの前進移動および後進移動の変化により傾くことができる梃子状の探索体は、その回転軸の過度の変位を調整するため、ばね力対抗して垂直の方向に移動できるようにすることを提案する。最後に移動することができる制限手段は、追加して作用手段が作用する滑り板によって上昇できるようにすることを提案する。これによって使用者は垂直方向に移動することができる制限手段によって開放された有効空気開口部を、恒久的に全部または中間部に開放し、例えば良好に粗い物体を取り去ることができる。使用者の調整によっても吸引室の負圧が高すぎる場合は、有効空気開口部を更に開放するため上述の手段（吸引室の変位することができる探索体または負圧に関連した制御）を適用すること。
【０００５】
以下本発明を、実施例のみを描写した添付図面によって詳細に説明する。
【発明の効果】
【０００６】
絨毯床の吸引作業の操作性の優れた吸引ノズルが得られる。
【発明を実施するための最良の形態】
【０００７】
最初に図示し説明する図１の図示に関する、図示されていない掃除機の床ノズル１である。床ノズル１は附属器具として形成され、電気的および流体的に掃除機に接続することができる。
【０００８】
床ノズル１は普通の方法で、床ノズル１の正面側の範囲に配置されほぼ幅全部にわたって形成され、普通の移動方向ｒの横方向に延びる吸引室２を備えている。吸引室２は清掃する床３に対して吸引口４が開口している。
【０００９】
吸引室２または吸引口４は、普通の移動方向ｒの前後に配置されそれぞれ吸引室２と平行に延びる制限手段５が設けられ、例えば剛毛の縁枠または気密な唇状体である。この制限手段５は吸引室２を長く延びた方向に区分する。吸引室２は両方の側面側でケーシング側の壁の区間で仕切られる。
【００１０】
さらに吸引室２には回転駆動することができるブラシ６が清掃する床３のブラシ作業のため配置され、ブラシの軸は普通の進行方向ｒと横向きに調整される。さらにブラシ６は、剛毛７が普通の床作業で器具の底８から下側に突き出るように配置される。
【００１１】
床ノズル１の正面側に配置された制限手段５の部分的範囲５’は垂直方向に移動することができるように形成され、附属する床ノズル１の正面の壁９は、制限手段５の移動することができる部分的範囲５’の幅に適合させた窓１０が設けられる。普通の進行方向ｒの横方向に測定した移動することができる制限手段５’およびそれに対応する窓１０の幅は、図示した例では床ノズル全体幅のほぼ２／３に相当するので、移動することができる制限手段５’の両側に、固定すなわち垂直に動くことができない制限手段５が配置される。
【００１２】
図２ないし４に示された第１および第２の実施例では、移動することができる制限手段５’は移動方向と横向きに調整された腕木１１によって操作され、床ノズル１のケースの別の側に固定された引っ張りばね１２が取り付けられる。ばねは移動することができる制限手段５’を下降方向、すなわち作業する床３に接触する位置に荷重を加える。
【００１３】
腕木１１の自由端の範囲には、図２および３による第１の実施例では制限手段５’の移動方向に調節された調節ねじ１３が噛み合い、これによって変位反応しきい値を調整することがきるかまたはブラシの磨耗を考慮することができる。
【００１４】
さらに図２および３による第１の実施例では、吸引室２に配置されたブラシ６をワイパに変位させることができる。そのためブラシ６はその軸の範囲をワイパーアーム１４に取り付け、アームは吸引室２の外側でブラシ軸と平行に延びる旋回軸ｘにより旋回移動することができる。この旋回軸ｘはブラシ６のモータ回転軸、例えばベルトにより駆動する電気モータ１５と一致させる。また図示したように電気モータ１５をワイパーアーム１４とともに軸ｘの周りを旋回させることも考えられる。
【００１５】
さらにブラシ６がその剛毛７と共に、自重によって常に作業する床３と接触させる配置を選定する。ワイパ式配置によってブラシ６は例えば床の非平面度にも反応する。
【００１６】
そのためワイパーアーム１４を少し延ばし、回転移動しないようワイパーアーム１４に配置する探索体１６を形成する。
【００１７】
移動することができる制限手段５’は、吸引室に発生する負圧によって自動的に上昇することができる。密度の高い絨毯床３の吸引の場合、吸引室２に発生する負圧は、制限手段５の気密性によって吸引口にある絨毯一部区間１７は強く引き込まれ、ワイパ状変位したブラシ６およびワイパーアーム１４はそれによって上昇する。調整ねじ１３によって調整可能な反応しきい値を超えると、ワイパ状の探索体１６は調整ねじ１３に強く当たり、調整ねじおよび腕木１１により移動することができる制限手段５’の垂直方向への変位が生ずる（図３参照）。この変位は引っ張りばね１２の力に対抗して行なわれる。移動することができる制限手段５’の上昇によってケース側の窓１０は隙間が開き、隙間の高さは吸引室２に発生した負圧および、同時に生ずる絨毯一部区間１７の吸引高さに関連する。窓１０の開口により並列流が流れ込み、吸引室２に発生した負圧の低下に対して有利に働き滑動力が低下する。流入した空気は絨毯３からの塵埃または絨毯３上の汚れを取り除く。並列空気は利用されないで吸引されるのではなく、絨毯床の清掃に利用される。
【００１８】
この自動的な負圧制御に加え、使用者は移動することができる制限手段５’によって、自由に与えることができる有効空気開口部を希望する寸法に恒久的に開放することができる。このため器具の上部に滑り金１８を設け、操作手段１９によって移動することができる制限手段５’の垂直方向変位に影響を与える。この操作手段１９は、図２および３に示す第１の実施例および図４に示す第２の実施例においても、梃子連結棒２０の片側の端部を滑り金１８に当てるようにし、他方の端部を移動することができる制限手段５’の上部自由端に取り付ける。滑り金１８の変位により、梃子連結棒２０を介して移動することができる制限手段５’は、引っ張りばね１２の力に対抗して吸引室２に発生する負圧と無関係に、またはブラシ６の高さの変位と無関係に希望する位置に変位する。これによって有効空気開口部を希望する寸法に恒久的に開放させ、例えばより良好な粗い物体の吸引性を得ることができる。
【００１９】
第１の実施例の代替または組み合わせとして、図４により吸引室２に作用する負圧を直接制限手段５’の上昇力に転換することができる。このため吸引室側の負圧を負圧ピストン２１に作用させ、ピストンを反対側の作動側に上述の操作手段１９または梃子連結棒２０に作用する作動部品２２に連結する。この作動部品２２は関節状に支持され、同時に滑り金１８と共同作用する梃子連結棒２０の梃子アームに作用する梃子となる。
【００２０】
この実施態様の場合は自由になる有効空気開口部の大きさは、ブラシの上下位置すなわち絨毯の吸い込み寸法により制御するのではなく、吸引室２の負圧によって制御する。負圧ピストン２１を介して負圧の高さによって、梃子連結棒２０は移動することができる制限手段５’が引っ張りばね１２の力に対抗して上昇するように上下に変位する。このシステムの場合滑り金１８によって有効空気開口部を恒久的にある開口位置に保持することもできる。
【００２１】
図５ないし８に第３の実施態様を示し、この場合は移動することができる制限手段５’が、床ノズルの前進および後進の移動によって自動的に上昇される。ここでも両方の第１の実施例により、普通の吸引方向ｒの前方の制限手段５の移動することができる制限手段５’を、有効空気開口部２３を開放するため上昇させることができる。
この移動することができる制限手段５’は、下降した位置すなわち床との接触位置に圧縮ばね２４により押し付けられる。
【００２２】
移動することができる制限手段５’は、荷重伝達鋼索２５として形成される作用手段１９によってワイパ状の探索体２６に結合され、探索体は作業する床に接触し、床ノズル１の前進移動ｒおよび後進移動ｒ’に応じて交互に傾く。清掃する床と常に接触する探索体２６は気密要素の形状に形成されると好ましい。
【００２３】
図示した実施例では、探索体２６は床ノズル１の進行方向に対し横方向に調整された軸ｙの周りを旋回することができ、垂直方向に動き横方向費に案内される梃子区間２７が形成される。梃子区間は圧縮ばね２８によってケースの床８に向いた基本位置に押し付けられる。
【００２４】
梃子区間２７には荷重伝達鋼索２５の芯の端部が固定される。
【００２５】
探索体２６は選択された床ノズル１の移動方向によって、自動的に最低点位置を通り抜け、探索体２６の両側の振れの終端位置はストッパによって限定される。この場合探索体２６は矢印ｒ方向（図５参照）の進行移動の場合は、矢印ｒ’方向（図５参照）の後進移動の場合よりも大きな傾き位置とする。これによって梃子区間２７の垂直方向の位置は、両方の移動方向で異なる。図５による前進移動の場合は、最低位置に留まる梃子区間２７および荷重伝達鋼索２５によって移動することができる制限手段５’は、有効空気開口部２３を開放するため上昇する。戻り工程すなわち床ノズルの後進移動および同時に生ずる探索体２６の方向変換は、梃子区間２７を上昇させ荷重伝達鋼索２５を介して移動することができる制限手段５’の床との接触位置を低下させるように作用する。有効空気開口部２３はその後閉鎖される。
【００２６】
この構成により、最も簡単な方法で床ノズル1の走行移動に関連した制限手段の上昇および下降が達成される。傾くことができる探索体２６の代替案として、前進および後進を区別するため、回転方向を場合によってはローラまたはその他の一緒に回転する床ノズル１の構成部品を利用することもできる。
【００２７】
開示されたすべての特徴は本発明に対し基本的なものである。従って、対応する／添付の優先書類（事前出願のコピー）の開示もまたすべて本出願の開示内に含まれるものであり、その目的のためこれらの書類の特徴もこの出願の請求事項に含まれるものである。
【産業上の利用可能性】
【００２８】
掃除機の床ノズルとして利用できる。
【図面の簡単な説明】
【００２９】
【図１】本発明における掃除機の床ノズルの俯瞰図である。
【図２】本発明の第１の実施態様に関する図１の線ＩＩ−ＩＩによる図式的断面である。
【図３】図２に対応する図であるが、引き込んだ絨毯一部区間およびその結果生ずる垂直方向に移動する制限手段である。
【図４】さらに図２に対応する図であるが、第２の実施態様に関するものである。
【図５】図２による別の断面図であるが、第３の実施態様に関するもので、吸引ノズルが前進移動中に上昇した限定手段である。
【図６】図５のＶＩの範囲の拡大図である。
【図７】図５のＶＩＩの範囲の拡大図である。
【図８】図５対応する図であるが、吸引ノズルの戻り移動中に下降した限定手段である。
【図１】
2007521897.tif 000003
【図２】
2007521897.tif 000004
【図３】
2007521897.tif 000005
【図４】
2007521897.tif 000006
【図５】
2007521897.tif 000007
【図６】
2007521897.tif 000008
【図７】
2007521897.tif 000009
【図８】
2007521897.tif 000010
【手続補正書】
【提出日】平成17年8月18日(2005.8.18)
【手続補正１】
【補正対象書類名】特許請求の範囲
【補正対象項目名】全文
【補正方法】変更
【補正の内容】
【特許請求の範囲】
【請求項１】
進行方向（ｒ）に制限手段（５、５’）例えば滑り板により前後が仕切られた吸引室（２）を有し、吸引室（２）の内部は場合によっては回転できるブラシ（６）が配置され、制限手段（５’）は、部分的範囲において垂直方向に移動ができる掃除機の床ノズル（１）において、
制限手段（５’）は床ノズル（１）の前進（ｒ）および後進（ｒ’）移動に関連して自動的に上昇することができることを特徴とする床ノズル。
【請求項２】
床ノズル（１）内にワイパ状の探索体（１６）が配置され、吸引室（２）に吸引される基盤の一部区間特に絨毯（１７）の一部区間によって変位し、かつ探索体（１６）の変位が制限手段（５’）の上昇を制御することを特徴とする請求項１に記載する床ノズル。
【請求項３】
制限手段（５’）が下降方向に押付けられていることを特徴とする請求項１または２の何れかに記載する床ノズル。
【請求項４】
探索体（１６）の変位反応しきい値が調整できることを特徴とする請求項１または２の何れかに記載する床ノズル。
【請求項５】
探索体（１６）が吸引室（２）に配置され、ワイパ状に変位することができるブラシ（６）を備えたことを特徴とする請求項２ないし４の何れかに記載する床ノズル。
【請求項６】
吸引室（２）に作用する負圧が制限手段（５’）の上昇力に変換されることを特徴とする請求項１ないし５の何れかに記載する床ノズル。
【請求項７】
負圧が作用する負圧ピストン（２１）が制限手段（５’）に作用する作用手段（１９）の作用部品（２２）に強固に固定されていることを特徴とする請求項６に記載する床ノズル。
【請求項８】
床ノズル（１）がワイパ状の探索体（２６）を備え、床ノズル前進（ｒ）および後進（ｒ’）移動に関連して傾くことを特徴とする請求項１ないし７の何れかに記載する床ノズル。
【請求項９】
探索体（２６）が梃子状に形成され、かつ基盤の反対を向いた探索体（２６）の梃子の区間が（２７）が、作用手段（１９）によって制限手段（５’）の移動を制御することを特徴とする請求項８に記載する床ノズル。
【請求項１０】
作用手段（１９）は梃子連結棒（２０）または荷重伝達鋼索（２５）であることを特徴とする請求項９に記載する床ノズル。
【請求項１１】
探索体（２６）の梃子区間（２７）に基づく荷重伝達鋼索（２５）の結合が、別の位置よりも制限手段（５’）の固定に近い位置であることを特徴とする請求項１０に記載する床ノズル。
【請求項１２】
梃子状の探索体（２６）の回転軸（ｙ）は過度の変位の調整のため、ばね力に対して垂直に移動することができることを特徴とする請求項８ないし１１の何れかに記載する床ノズル。
【請求項１３】
移動することができる制限手段（５’）は、追加的に作用手段（１９）に作用する押し金（１８）によって上昇させることができることを特徴とする請求項１ないし１２の何れかに記載する床ノズル。
【国際調査報告】
2007521897.tif 000011
2007521897.tif 000012
2007521897.tif 000013
2007521897.tif 000014
2007521897.tif 000015
2007521897.tif 000016